(57)【要約】【課題】水中での撮影器材の浮力調整が自然かつ容易にできるカメラ収納具を提供する。【解決手段】内部に通常のカメラを収納する収納具１０を空気量により体積変化が可能な材質で構成し、かつ浮力調整器つき胴衣１５へ供給するスクーバタンク１１からのエアの一部をパワーインフレーター１４の下流に設置の分岐管１５ｂからカメラ収納具１０の内部に取り込むようにした。【選択図】　　図１
2004117877.tif 000002
【特許請求の範囲】
【請求項１】
空気量により体積変化が可能な材質で構成しかつ内部にカメラを収納するカメラ収納具本体と、浮力調整器つき胴衣へ供給するエアの一部を内部に取り込むエア取込機構と、を備えることにより、空気量調整機構を不要としたことを特徴とする水中カメラ収納具。
【請求項２】
前記カメラ収納具本体に設けられたカメラ固定部材と、外部から撮影操作可能とする撮影操作部材と、内部のエアを排出する排気機構とを備え、前記エア取込機構がパワーインフレータの下流側に設けられたジョイントに接続可能としたことを特徴とする請求項１記載の水中カメラ収納具。
【請求項３】
前記収納具本体の少なくとも撮影レンズ部に対向する部分を透明な材質とするか、又は撮影レンズ部のみ前記収納具本体外に液密で露出させる液密開口部としたことを特徴とする請求項１又は２記載の水中カメラ収納具。
【請求項４】
前記カメラ収納具本体を前記胴衣、ダイバー頭部、エアタンクの１つ以上に着脱できる着脱可能部材を前記カメラ収納具本体に設けたことを特徴とする請求項１〜３のいずれか１項記載の水中カメラ収納具。
【請求項５】
前記着脱可能部材が面ファスナーで構成されたことを特徴とする請求項４記載の水中カメラ収納具。
【請求項６】
前記排気機構は、前記収納具本体の上面に設けられた排気口と、該排気口に取り付けられた排気弁と、該排気口の近傍に設けられた該排気弁操作用排気ボタンとから構成されることを特徴とする請求項２〜５のいずれか１項記載の水中カメラ収納具。
【請求項７】
前記収納具本体の底部に錘を取り付ける錘係止部を備えたことを特徴とする請求項１〜６のいずれか１項記載の水中カメラ収納具。
【請求項８】
前記錘がエアタンクであることを特徴とする請求項７記載の水中カメラ収納具。
【発明の属する技術分野】
本発明は、水中でのカメラ運搬およびカメラ撮影を快適に行えるようにするための水中カメラ収納具に関する。
【発明の詳細な説明】
【０００１】
【従来の技術】
全天候型でない撮影器材で水中撮影をする場合、カメラや撮影器材への浸水防止が必要であり、それに伴う器材・容器の重量増、操作性悪化が問題となる。
水中カメラを収納するカメラ収納具としては、重量増対策として従来より種々の提案がなされている。
従来公知のカメラ収納具としては、カメラ収納具の内圧を地上の気圧に保持するものがある。これは水中での水圧が２気圧や３気圧であっても容器内を常に１気圧に保つようにするものであるが、しかしながらそのためにはカメラ収納具自体の材質が丈夫でなければならず、したがって重量が非常に重くなり、高価となってしまう欠点があった。
【０００２】
【特許文献１】
実開平６−６０８４４号公報
【特許文献２】
特開平５−１５８１１９号公報
【特許文献３】
特開平１１−２３７６８８号公報
【特許文献４】
実開平５−８４９４９号公報
【０００３】
そこで上記の内圧一定型のカメラ収納具に代わるものとして、カメラ収納具の内圧を常時その時の水圧に自動的に調節するカメラ収納具が特許文献１に開示されている。図５は特許文献１記載のカメラ収納具を示す斜視図である。図５において、５１はカメラ収納具本体で、既存のカメラを収容固定し、外部から撮影操作できるようにした開閉自在な密閉容器である。自動加圧手段５２及び自動減圧手段５３により、水圧と密閉した収納具本体５１内が常に同圧になる。又、内部にカメラを収容する底開きの中空箱体とした上部容器５１ａと中央部分に減圧用調整弁５７を設けた下部容器５１ｂとを止め金具５０Ｂにて密閉状態としている。
【０００４】
自動加圧手段５２は、ダイバーの潜水と共に水圧は徐々に高くなるが、それに伴ってカメラを収容したカメラ収納具本体５１の内部気圧を自動的に同じだけ高めるための加圧手段である。ここではスキューバエアタンクを利用してタンク内のエアを必要量だけ収納具本体５１内に送気する手段を有しており、エアタンクからの耐圧ホース５０Ａとのジョイント５４を上部容器５１ａに固設すると共に、上部容器５１ａの側壁に配した差圧感応装置５６によって開閉動作する加圧用調整弁５５をジョイント５４の送気口に設け、水圧によって差圧感応装置５６が押されることによって加圧用調整弁５５が開きエアタンクからエアがカメラ収納具内へ送られてカメラ収納具内を水圧と常時自動的に同圧にするものである。
【０００５】
自動減圧手段５３は、ダイバーの上昇によって水圧が下がってくるが、それに伴ってカメラを収容した容器本体５１の内部気圧を自動的に同じだけ低めるための減圧手段である。ここではカメラ収納具本体５１の底面に設けた減圧用調整弁５７によって、カメラ収納具内のエアが圧力差により自動的にカメラ収納具外へ排気されカメラ収納具内を水圧と常時自動的に同圧にするものであり、ダイバーが上昇途中で水平遊泳にはいりカメラ収納具内と水圧が同圧となったり、再度潜水にはいって水圧の方が高くなった場合は、減圧用調整弁５７は閉鎖状態を保ち、エア漏れや海水の浸入を防止している。なお、５８は錘５９をカメラ収納具本体５１に装備するための錘装着部で、遊泳中のカメラ収納具本体５１自体のバランスがとれるようにしている。
【０００６】
以上のような構成により、容器内を常に１気圧に保つ上記カメラ収納具と違って、収納具本体を堅固にしなくても水圧によってカメラ収納具本体が押し潰されたり変形することがなくなるため、カメラ収納具本体は耐圧性を考慮せず気密性だけを考慮して形成すれば良く、例えばプラスチック製の薄板により密閉容器を形成することができ、軽量となり、安価で、手軽に水中でのカメラ撮影が行えるようになる。
【０００７】
しかしながら、このカメラ収納具では、防水容器内を自動加圧・自動減圧して常時水圧と同圧にすることにより容器材料の軽量化を図るために、加圧用調整弁５５、差圧感応装置５６、減圧用調整弁５７等といった複雑で高価な部品が必要となり、構成もきわめて複雑となった。
また、カメラ収納具の内圧を常時水圧に一致させているため、逆にプラス浮力やマイナス浮力を得ること難しく、ダイバーは潜水時のマイナス浮力や浮上時のプラス浮力をカメラ収納具から得られない欠点があった。
【０００８】
従来公知のその他の浮力調節をするものとしては、カメラ収納具の浮力調節に関するものではないが、カメラ自体の浮力調節機構として次の（１）〜（３）の各公報に記載のものがある。本願発明の特長を理解し易くするために、以下、これらの公知技術について簡単に説明しておく。
【０００９】
（１）特許文献２記載の発明は、水圧により水中カメラ本体の一部に設けた筒状部材が移動して体積変化し浮力を自動調整するものである。
図６は特許文献２記載の浮力調整装置を説明する図で、（ａ）は斜視図、（ｂ）は防水カメラが水面上にある場合の要部断面図、（ｃ）は防水カメラが水中にある場合の要部断面図である。
図において、カメラ本体６０の前面にはレンズ６１とファインダ６２等のカメラに通常設けられる部材が配設され、また、底面６３には、この発明に係る浮力調整装置６６の一部である筒状部材６６１の端面が臨んでいる。この筒状部材６６１は、防水カメラが置かれる水深に応じて変化する水圧により、カメラ本体６０内に押し込められるように構成されている。すなわち、（ｂ）および（ｃ）において、カメラ本体６０内には、撮影に必要な機能を有する構成部品６４が設けられる他、筒状部材６６１を収容できる受容室６６２が形成されている。
また、カメラ本体６０には開口６６３が穿設され、この開口６６３の内壁面にはＯリング６６４が嵌着されている。筒状部材６６１はＯリング６６４に摺動自在に支持され、先端部６６１ａが開口６６３から外部に突出し、基部６６１ｂが受容室６６２内に収容されている。Ｏリング６６４により受容室６６２の内部は水密を保って外部から遮断される。受容室６６２にはバネ６６５が設けられている。このバネ６６５は受容室６６２の内壁面と筒状部材６６１の基部６６１ｂとの間に挿設され、筒状部材６６１を常時外方に付勢している。
バネ６６５の弾発力は、カメラが置かれる水深に応じて変化する水圧により、筒状部材６６１がカメラ本体６０内に押し込められるように定められている。すなわち、水深の浅い位置においては水圧が小さいため、バネ６６５の弾発力が相対的に大きくなり、筒状部材６６１のカメラ本体６０からの突出量は相対的に多くなる。したがって筒状部材６６１の端面は、図（ａ）に示されるようにカメラ本体６０の底面６３に合致している。この状態でカメラ本体６０の体積は相対的に大きく、受ける浮力は自重よりも大きいため、カメラは水に浮く。
これに対して水深の深い位置では水圧が大きいため、筒状部材６６１は図（ｂ）に示されるように、バネ６６５に抗して後退し、カメラ本体６０の底面６３から陥没し、自重よりも浮力が小さくなるため、カメラは水中に沈む。
このような構成により、防水カメラは所定の水深よりも浅い所において浮き上がり、それよりも深い所において沈むこととなる。
以上のように、カメラ本体６０の体積を水圧に応じて変化させる体積調節機構６６を用いることによって、カメラは水面上においては水に浮き、誤って落としてもすぐに拾い上げることができ、また水中においては沈むため、水中撮影がし易くなるというものである。
【００１０】
ところが、特許文献２記載の発明は、任意の深さにおいて浮力調整が可能なわけではない。したがって、所定の深さの以外のところではダイバーは常にカメラの浮力又は重力を受けることとなった。
【００１１】
（２）特許文献３記載の発明は、アームを浮力体で構成あるいは浮力体を外部付加して浮力調整するものである。
図７はこの浮力調整機構を説明する図である。図７において、７１はカメラＣを取り付けるベースプレートで、その一端にアーム固定部材７２を介して第一アーム７３が取り付けられ、第一アーム７３の上端には第二アーム７５が旋回固定部材７４を介して取り付けられ、第二アーム７５の先端にストロボ７６が取り付けられている。このようなカメラＣやアーム７３、７５は重いので、ここでは第一アーム７３の周囲に、ポリマー発泡材ないしポリマー中空成形体からなるグリップ型半円柱形フロート７３ａ、７３ｂをアーム７３をサンドイッチ状に挟んで互いを結合させて１個の円柱形フロートを構成し、この円柱形フロートを２個第一アーム７３に用いている。同様に、第二アーム７５の周囲にもグリップ型半円柱形フロート７３ａ、７３ｂを取り付けて、１個の円柱形フロートを構成している。取り付ける円柱形フロートの個数は得ようとする浮力によって決められる、というものである。
このように、アームの任意の部位に着脱自在のユニット化された円柱形フロートを適宜個数、外部付加して組付け固定したり、外したりして、浮力を加減調節して、全体の水中重量を軽減したり、水中での重さバランスを整えるようにしている。
【００１２】
ところが、特許文献３記載の発明では、アームにフロートをとりつける作業は事前に適切な微調整をしておく必要があり、水中での調整が困難であった。
【００１３】
（３）特許文献４記載の発明は、発砲スチロールや風船等の浮力体をとりつけて浮力調整するものである。図８はこの浮力調整機構を説明する概略斜視図であって、同図において８１が浮力調整装置である。この浮力調整装置８１は、カメラ本体８２のアクセサリシュー座８２ａに嵌合するアクセサリシュー８１ａと、格子状の容器８１ｂと、両者をつなぐ支柱８１ｃと、前記容器８１ｂに取り囲まれる風船８１ｄと、空気抜き用の中空円筒部８１ｅと、空気抜きバルブ８１ｆとにより構成されている。風船８１ｄが浮力発生体である。
浮力調整装置８１は、格子型の容器８１ｂなどをアルミ等で構成して重量をできるだけ軽減して水中における風船の浮力を妨げないようにし、かつ機械的強度を保たせている。
浮力調整装置１を水中カメラに装着して水中に潜るとき、水圧が高くなっても、水中の重量を軽くさせるには、予め風船８１ｄを大きく膨らませるようにする。そのためには、バルブ８１ｆを円筒部８１ｅより抜いて、円筒部８１ｅの貫通孔より風船８１ｄの内部に空気を注入する。この注入により風船８１ｄが大きく膨らんで、その容積が増大され、バルブ８１ｆを円筒部８１ｅの周壁部に移動操作させて、円筒部８１ｅの貫通孔並びに風船８１ｄの開口部を密封した後に、水中に潜ると、風船８１ｄの容積増大により、風船８１ｄの浮力が増加される。さらに深く潜って、水圧が高くなっても、上述の空気の大量注入のために、風船８１ｄが圧縮されることなく、浮力を保つことができ、そのために水中の重量を所望通りに得ることができる。水中の重量が軽すぎた場合には、バルブ１ｆを移動操作させて、その孔が円筒部８１ｅの貫通孔に位置したら、開口されたバルブ８１ｆの穴を介して風船８１ｄの内部空気を装置８１の外部に放出させ、この放出により風船８１ｄの容積が縮小されて、同風船８１ｄの浮力が弱まり、その結果水中の重量を所望通りに調節することができる。
このように、容器８１ｂの中空円筒部８１ｅを介して、バルブ８１ｆによる風船８１ｄの開口部の開放により、風船８１ｄの内部への空気注入または風船８１ｄの外部への空気放出に応じて、風船８１ｄの容積が調節され、そのために風船８１ｄの浮力が調整されて、水中の重量も所望通りに調節することができる、というものである。
【００１４】
ところが、特許文献４記載の発明では、その容積調整には水中カメラにとりつけて使用する浮力調整用器材が必要であり、運搬・準備が煩わしいほか、調整をしない限り、所定の深さより浅いところでは浮き、深いところでは沈むというものであり、既出の浮力調整機構と同じく、所定の深さ以外のところではダイバーは常にカメラの浮力又は重力を受けることとなった。
また、水中での調整作業も困難であり、しかもその調整は浮力を減らす方向でしか調整できず、その場所で浮力を増す方向の調節は不可能であった。
また、上記公知技術（１）〜（３）はすべて水中カメラを前提とするものであり、通常のカメラに設けられるものではなかった。
【００１５】
【発明が解決しようとする課題】
以上のように、これらの公知の浮力調整装置には種々のものが存在したが、いずれも水中の任意の深さにおいて簡単な操作で浮力や重力を調整することができるものではなかった。
本発明はこれらの欠点をすべて解決するもので、水中のいずれの深さにおいても簡単な操作で浮力や重力を調整することができ、しかも簡単な構成の水中カメラ収納具を提供することにある。
【００１６】
【課題を解決するための手段】
上記課題を解決するため、請求項１記載の水中カメラ収納具は、空気量により体積変化が可能な材質で構成しかつ内部にカメラを収納するカメラ収納具本体と、浮力調整器つき胴衣へ供給するエアの一部を内部に取り込むエア取込機構と、を備えることにより、空気量調整機構を不要としたことを特徴とする。
請求項２記載の発明は、請求項１記載の水中カメラ収納具において、前記カメラ収納具本体に設けられたカメラ固定部材と、外部から撮影操作可能とする撮影操作部材と、内部のエアを排出する排気機構とを備え、前記エア取込機構がパワーインフレータの下流側に設けられたジョイントに接続可能としたことを特徴とする。
このような簡単な構成により、水中のいずれの深さにおいても浮力や重力を簡単な操作で調整することができるようになる。
【００１７】
請求項３記載の発明は、請求項１又は２記載の水中カメラ収納具において、前記収納具本体の少なくとも撮影レンズ部に対向する部分を透明な材質とするか、又は撮影レンズ部のみ前記収納具本体外に液密で露出させる液密開口部としたことを特徴とする。
このような構成により、高価な水中カメラを使用しなくても、通常のカメラを用いて撮影を行うことが可能となる。
【００１８】
請求項４記載の発明は、請求項１〜３のいずれか１項記載の水中カメラ収納具において、前記カメラ収納具本体を前記胴衣、ダイバー頭部、エアタンクの１つ以上に着脱できる着脱可能部材を前記カメラ収納具本体に設けたことを特徴とする。
請求項５記載の発明は、請求項４記載の水中カメラ収納具において、前記着脱可能部材が面ファスナーで構成されたことを特徴とする。
このような構成により、水中カメラ収納具を所望の位置に着脱できるので、両手を水中カメラ収納具から離すことができるようになり、海中での自由度が大きくできる。
【００１９】
請求項６記載の発明は、請求項２〜５のいずれか１項記載の水中カメラ収納具において、前記排気機構が、前記収納具本体の上面に設けられた排気口と、該排気口に取り付けられた排気弁と、該排気口の近傍に設けられた該排気弁操作用排気ボタンとから構成されることを特徴とする。
このような構成により、収納具がパワーインフレーターよりも下流（海底側）に位置する場合でも収納具内の排気が容易に可能となる。
【００２０】
請求項７記載の発明は、請求項１〜６のいずれか１項記載の水中カメラ収納具において、前記収納具本体の底部に錘を取り付ける錘係止部を備えたことを特徴とする。
このような構成により、カメラが上下逆さになったりせず、常にカメラを所定の状態に保つことができ、また収納具の排気弁が水中でも常に上面になるようにできる。
【００２１】
請求項８記載の発明は、請求項７項記載の水中カメラ収納具において、前記錘としてエアタンクを用いることを特徴とする。
このような構成により、本来重い錘を別途準備する必要がなくなり、常備のエアタンクを係止することができるので便利である。
【００２２】
【発明の実施の形態】
以下に、本発明について、図面を用いて詳しく説明する。
［本発明の第１の実施の形態］
図１は本発明の第１の実施の形態に係る水中カメラ収納具の使用形態を示す概略図である。図１において、１０は本発明に係る水中カメラ収納具で、この中に通常のカメラ（水中カメラでなくてもよい。）が収納されている。この水中カメラ収納具１０には次のようにして高圧のスクーバタンク１１からの空気（エア）が取り込まれる。すなわち、高圧のスクーバタンク１１からのエアがレギュレータ１２で水深の圧力と同じ圧力に減圧されて、ホース１４ａを通ってパワーインフレーター１４に達し、パワーインフレーター１４ではダイバーが水中での浮力を得るため、そこに設置のボタン１４ｂを押圧することにより、スクーバタンク１１からのエアがパワーインフレーター１４を経由して浮力調整器付き胴衣（浮力「ボイランシー」と操作「コントロール」と装置「デバイス」の頭文字を取り「ＢＣＤ」又は「ＢＣ」と言われており、以下、ＢＣと略す。）１５内に取り込まれる。
そこで、パワーインフレーター１４のボタン１４ｂを押圧することによりＢＣ１５内の空気量を増やして浮上することが可能となる。
なお、１５ｄはパワーインフレーター１４に依らずに、オーラルでＢＣ１５に空気を吹き込むマウスピースである。
【００２３】
また、ＢＣ１５の肩部近傍には排気栓１５ｃが備え付けてあり、この排気栓１５ｃを開放することによりＢＣ１５内の空気を海中へ放出して、容積を減少させ、潜水することが可能となる。
さらに、ＢＣ１５内の空気を調整して浮上も潜水もしないバランスよく保つことで中性浮力での遊泳を行うことが可能となる。
本発明ではこのＢＣ１５へ供給するエアの一部を水中カメラ収納具１０にも取り込めるようにしたのが特徴である。図１の水中カメラ収納具１０には内部に通じるホース１０１ａが接続されており、その途中にホース１０１ａの開閉をするコック１０１ｂが設けられ、先端にジョイントの一方１０１ｃが取り付けてある。
【００２４】
一方、パワーインフレーター１４からＢＣ１５へ通じるホース１５ａの途中に分岐管１５ｂが設けられ、一方はＢＣ１５へ、他方は水中カメラ収納具１０へ向かう。分岐管１５ｂには水中カメラ収納具１０へ向かうホース１０１ａ’が接続されており、その途中にホース１０１ａ’の開閉をするコック１０１ｄが設けられ、先端に前記ジョイントの相方１０１ｃ　’が取り付けてある。
そこで、このジョイントの一方１０１ｃ’と相方１０１ｃとを接続し、それぞれのコック１０１ｂ、１０１ｄを開くことにより、パワーインフレーター１４からのエアは水中カメラ収納具１０の内部へも取り込まれることとなり、ＢＣ１５とい同一圧力に保持される。このように、水中カメラ収納具１０はジョイント１０１ｃ、１０１ｃ’によりＢＣ１５側に容易に脱着可能となり、また空気流路をコック１０１ｂ、１０１ｄで遮断して水中カメラ収納具１０を分離できる構造となっている。
以上の構成によれば、何もしなければ、ＢＣ１５の内圧と水中カメラ収納具１０のそれとが同じになっているので、常時ダイバーの望むＢＣの浮力に水中カメラ収納具１０も自動的に調節されるので、ダイバーはとりたてて水中カメラ収納具１０の浮力調節をする必要がなくなる。
ＢＣ１５や水中カメラ収納具１０に空気を入れない状態ではマイナス浮力状態にあり、また吸気により浮力がつく。このように共通のパワーインフレーター１４での給気および排気栓１５ｃからの排気によりダイバー自身の体重と水中カメラ器材の重さをあわせて、容易に浮力調整が可能となる。
したがって、第１の実施の形態によれば、従来公知の図５のカメラ収納具のような高価で複雑な、壊れ易い加圧用調整弁５５、差圧感応装置５６、減圧用調整弁５７といった部品も必要でなくなる。
【００２５】
図２は本発明に係る水中カメラ収納具の概略斜視図である。
水中カメラ収納具１０の素材はＢＣ１５の素材と同じで通気性のない柔軟素材が用いられており、この中にカメラＣが固定器具（図示なし）により固定し収納されている。そして少なくとも撮影レンズ部分は透明な材質とするか、レンズ部のみ容器外に出してここから内部への浸水防止構造としてある。
外部に通じるホース１０１ａの途中にコック１０１ｂが取り付けられ、ホース１０１ａの先端にジョイントの一方１０１ｃが取り付けられている。このジョイント１０１ｃを相手方ジョイント１０１ｃ’（図１）に接続し、コック１０１ｂを開口しておけば、パワーインフレーター１４の制御の下におかれる。
１０２は排気機構で、排気ボタン１０２ａと、この排気ボタン１０２ａの押圧により作動する排気弁１０２ｂとから成る。カメラ収納具１０の内圧を減じたいときは、排気ボタン１０２ａの押圧により作排気弁１０２ｂを開口すればよい。カメラ収納具１０がパワーインフレーター１４よりも下部（海底側）に位置する場合でもカメラ収納具１０内の排気を容易にするために、カメラ収納具１０の上面に排気用ボタンと排気弁をつけておくのがよい。
【００２６】
カメラ収納具１０の排気弁１０２ｂが水中でも上面になるように、収納具自体の底部に錘をいれる錘収納部を設けそこに錘を収納するようにしたり、あるいは図のようにその底面から錘１０３を海底に向けて降ろすようにしておくのがよい。
【００２７】
上記錘１０３としてエアタンク１１やダイバーが携帯する予備タンク（図４、後述）を用いるようにすれば、部品点数を省くことができる。
【００２８】
また、カメラ収納具１０には、適当な箇所に面ファスナー１０１ｅ（図２）等の固着手段が取り付けてあり、他方ＢＣ１５側にも適当な箇所に面ファスナー１５ｅ（図１）等の固着手段が取り付けてあり、これによってカメラ収納具１０がＢＣ１５に直に取り付けれるようになり、撮影以外のときはカメラ収納具１０を面ファスナーでＢＣに取り付けておくことにより、両手が自由になって便利である。
【００２９】
そのほか、カメラ収納具１０を頭部やエアタンク等にも取り付けれるように、巻回ベルトを取り付けておくのも良い。
以上のように、本発明によれば、ダイバーが水中にて装着しているＢＣへ供給する空気を利用する水中カメラ収納具を使用することにより、ダイバーの体重と水中カメラ重量を併せて浮力調整可能とする。
【００３０】
［本発明の第２の実施の形態］
図１に戻って、１３はスクーバタンク１１の残量を表示する残圧計などのゲージ類で、レギュレータ１２とホース１３ａで結ばれている。
１６はスクーバタンク１１のエアをホース１６ａを介してダイバーが吸気するマウスピースである。
１７は使用しているレギュレーター１２−マウスピース１６系統にトラブルが発生した場合や、水中で他のダイバーの空気がなくなった場合やトラブル発生時に使うオクトパスで、レギュレータ１２とホース１７ａで結ばれている。
１８は防水性を高め、ダイビングスーツとブーツが一体化され、体を水から遮断して保温するドライスーツである。体が水にぬれないので、低い水温でのダイビングに向きます。ゴム生地でできたネオプレーンタイプ、ナイロンやラバーコーティングなどのシェルタイプがあり、防水ファスナーなどを用いて、スーツ内に水が入らないようになっていて、スクーバタンク１１のエアがホース１８ａを介して内部に供給されるようになっている。
【００３１】
また、図１のオクトパス１７用のホース部１７ａにジョイントして、ここからエア供給を受けるようにすることも可能である。図３は本発明の第２の実施の形態に係る水中カメラ収納具の使用形態を示す概略図である。図３において、１０は本発明に係る水中カメラ収納具で、これがオクトパス１７用のホース部１７ａにジョイントして、オクトパス１７へのエアの一部を取り込むものである。ホース１７ａ、分岐管１７ｂ、ホース１０１ａ、コック１０１ｄ，ジョイント１０１ｃ’、１０１ｃ、コック１０１ｂ、ホース１０１ａを通って水中カメラ収納具１０に達する。水中カメラ収納具１０の中の圧力をダイバーが調節することにより、マイナス浮力、中性浮力、プラス浮力を自由に作り出すことができ、水中運搬の負担にならないようにすることができる。ただし、この場合、水中カメラ収納具１０へのエア供給は、直接スクーバタンク１１から供給するため、水中カメラ収納具１０内の空気量調整機構が別途必要となる。
【００３２】
同様に、本発明の第２の実施の形態の変形例として、図１のドライスーツ１８用のホース部１８ａにジョイントして、ここからエア供給を受けるようにすることも可能である。その接続構成は第２の実施の形態と全くおなじでよい。
【００３３】
［本発明の第３の実施の形態］
上記各実施も形態は、いずれもスクーバタンクのエアを利用するものであったが、本発明はこれに限られず、スクーバタンク以外にダイバーが携帯する予備エアタンクを上記目的専用に利用することも可能である。
図４は本発明の第３の実施の形態に係る水中カメラ収納具の使用形態を示す概略図である。図４において、１０は本発明に係る水中カメラ収納具で、これと４０の高圧の予備タンクとが接続されている。予備タンク４０からのエアがレギュレータ（図示なし）で水深の圧力までに減圧されて、ホース４１、コック４２，ジョイント１０１ｃ’、１０１ｃ、コック１０１ｂを通って水中カメラ収納具１０に達する。水中カメラ収納具１０の中の圧力をダイバーが調節することにより、マイナス浮力、中性浮力、プラス浮力を自由に作り出すことができ、水中運搬の負担にならないようにすることができる。ただし、この場合、水中カメラ収納具１０へのエア供給は、直接予備タンクから供給するため、水中カメラ収納具１０内の空気量調整機構が別途必要となる。
【００３４】
【発明の効果】
以上のように、本発明の第１の実施の形態によれば、内部にカメラを収納する収納具本体を空気量により体積変化が可能な材質で構成し、かつ浮力調整器つき胴衣へ供給するエアの一部を内部に取り込めるようにしたので、次のような効果が得られる。
（１）　　ダイバーは水中カメラを使用しないで潜水する時と何ら変わらずに、水中での撮影器材の浮力調整が自然かつ容易にできる。
（２）　　水面近くでも潜水状態でも水中カメラ操作が容易となる。
（３）　　中性浮力状態では水中カメラ器材の重さを感じることが無く、撮影に専念できる。
（４）　　さらに、中性浮力状態で水中カメラ収納具を分離することにより、離れた位置からリモートコントロールで自分自身を撮影することも可能となる。
この場合、収納具底面に錘を取り付け可能としておくことにより、穏やかな水流であれば中性浮力と錘により、ほぼ固定位置に収納具を浮遊して保持可能となる。
その他、本発明の第２および第３の実施の形態によれば、内部にカメラを収納する収納具本体を空気量により体積変化が可能な材質で構成し、スクバタンク又は予備タンクのエアを内部に取り込めるようにしたので、空気量調整機構が別途必要となるものの、水中のいずれの深さにおいても簡単な操作で浮力や重力を調整することができ、しかも簡単な構成の水中カメラ収納具が得られる。
【図面の簡単な説明】
【図１】本発明の第１の実施の形態に係る水中カメラ収納具の使用形態を示す概略図である。
【図２】本発明に係る水中カメラ収納具の概略斜視図である。
【図３】本発明の第２の実施の形態に係る水中カメラ収納具の使用形態を示す概略図である。
【図４】本発明の第３の実施の形態に係る水中カメラ収納具の使用形態を示す概略図である。
【図５】公知（実開平６−６０８４４号公報に開示）の水中カメラ収納具を示す斜視図である。
【図６】公知（特開平５−１５８１１９号公報に開示）の浮力調整装置を説明する図で、（ａ）は斜視図、（ｂ）は防水カメラが水面上にある場合の要部断面図、（ｃ）は防水カメラが水中にある場合の要部断面図である。
【図７】公知（特開平１１−２３７６８８号公報に開示）の浮力調整機構を説明する概略斜視図である。
【図８】公知（実開平５−８４９４９号公報に開示）の記載の浮力調整機構を説明する概略斜視図である。
【符号の説明】
１０　本発明に係る水中カメラ収納具
１０１ａ，ａ’　ホース
１０１ｂ、ｄ　コック
１０１ｃ、１０１ｃ’ジョイント
１０１ｅ　面ファスナー
１０２　排気機構
１０２ａ　排気ボタン
１０２ｂ　排気弁
１０３　錘
１１　スクーバタンク
１２　レギュレータ
１３　残圧計などのゲージ類
１３ａ　ホース
１４　パワーインフレーター
１４ａ　ホース
１４ｂ　ボタン
１５　浮力調整器付き胴衣（ＢＣＤ又はＢＣ）
１５ａ　ホース
１５ｂ　分岐管
１５ｃ　排気栓
１５ｄ　マウスピース
１５ｅ　ＢＣ側面ファスナー
１６　マウスピース
１６ａ　ホース
１７　オクトパス
１７ａ　ホース
１８　ドライスーツ
１８ａ　ホース
【図１】
2004117877.tif 000003
【図２】
2004117877.tif 000004
【図３】
2004117877.tif 000005
【図４】
2004117877.tif 000006
【図５】
2004117877.tif 000007
【図６】
2004117877.tif 000008
【図７】
2004117877.tif 000009
【図８】
2004117877.tif 000010